(57)【要約】      （修正有）【課題】簡素な構造を有し、しかも、滞留水を用いることなく、臭気の伝播、虫や小動物の侵入の抑制に優れ、かつメンテナンスや清掃を容易に行うことができる縦型の排水用トラップを提供する。【解決手段】筒状のトラップ主体２の相対する部位に排水管を接続するための接続部２ａ，２ｂを有するとともに、トラップ主体２の側面に貫通形成した開口部３をキャップ部材４によって開閉自在とした縦型の排水用トラップ１において、トラップ主体２内に、バランスウエイトＢＷを有する弁体５１を開閉させる取付座６を軸方向に対して平行に配置する。前記弁体５１を保持した取付台８を、その上部側に形成された係合溝および下部側に形成された係合部のそれぞれと、前記取付座６に突設された支持体との係脱によって、前記取付座６から着脱可能に構成する。【選択図】図１
2020060002.tif 000002
【特許請求の範囲】
【請求項１】
筒状のトラップ主体の相対する部位に、それぞれ排水管を接続するための接続部を有するとともに、前記トラップ主体の側面に貫通形成された平面視円形の側方開口部を有し、かつ前記側方開口部をキャップ部材によって開閉自在とした縦型の排水用トラップにおいて、
前記排水用トラップを構成するトラップ主体内に、バランスウエイトを有する弁体を縦方向に開閉させるための取付座を軸方向に対して平行となるように配置するとともに、
前記弁体と常時当接し、かつ排水用の流通孔を有する弁座を、下流方向に向かって、前記取付座の一端部から前記トラップ主体の側面部まで傾斜させて設け、排水流入部と排水流出部とに区画し、
前記取付座に着脱自在に装着される取付台に、前記弁体を揺動自在に保持し、
前記弁体を保持した取付台を、その上部側に形成された係合溝および下部側に形成された係合部のそれぞれと、前記取付座に突設された支持体との係脱によって、前記取付座から着脱可能に構成したこと
を特徴とする排水用トラップ。
【請求項２】
前記係合溝と係合する支持体は、
その先端が前記側方開口部近傍に達するように構成されていること
を特徴とする請求項１に記載の排水用トラップ。
【請求項３】
前記取付台は、
その左右端部に、幅方向に平行に突出形成された一対のアーム部と、各アーム部の先端縁から下方に延出して両アーム部を相互に連結する半円環状の連結部材を備え、
前記連結部材は、
その外周部が前記側方開口部近傍の内壁に当接するよう構成され、その下端縁から上方に向かって所定の長さ延出形成された平面視半円形状の遮蔽板を備えること
を特徴とする請求項１又は２に記載の排水用トラップ。
【請求項４】
前記弁体は、
側面視へ字形に屈折した板状体で構成され、下部は舌片状で、最上部には、弁体を常時閉鎖方向に付勢するバランスウエイトを有し、屈折部には、揺動のための支軸を保持する筒状の保持部を有し、前記取付台に支軸を介して揺動自在に設けられること
を特徴とする請求項１〜３のいずれかに記載の排水用トラップ。
【請求項５】
前記取付座は、
前記トラップ主体の流入側の上部から下流方向に延出させた連結板の先端部に、流出側に向けて軸方向に対して平行となるよう取付板を延出させ、かつ前記取付板の先端部からトラップ主体の側壁に達する、排水を流通させるための流通孔を有する弁座を、下流方向に向かって傾斜させて設けたものであり、
前記支持体は、
前記取付板の外面部に突設され、前記取付台の上部側に所要の間隔を存して形成された係合溝と係合する一対の上部支持体と、前記取付台の下部側に所要の間隔を存して形成された係合部と係合する一対の下部支持体で構成されること
を特徴とする請求項１〜４のいずれかに記載の排水用トラップ。
【請求項６】
前記取付板の外面部には、さらに前記取付台の位置合わせと固定用の複数の突条体が設けられていること
を特徴とする請求項５に記載の排水用トラップ。
【請求項７】
前記取付台は、
平面視台形状のプレートで構成され、その上部側の両端部に、前記取付座の外面に配置された一対の上部支持体とそれぞれ係合する係合溝が設けられるとともに、底部側の両端部に、前記取付座の外面に配置された一対の下部支持体とそれぞれ係合する係合部が設けられ、前記係合部に面して、前記弁体を揺動自在に保持するための支軸の、両端部を係合保持する断面Ｌ字状の軸受け部が形成されているとともに、前記弁体の過剰揺動を抑止するため板状体が外面部に一体的に立設されていること
を特徴とする請求項５又は６に記載の排水用トラップ。
【請求項８】
前記板状体は、
前記開口部を閉止するキャップ部材の裏面に当接する高さを有すること
を特徴とする請求項７に記載の排水用トラップ。
【発明の詳細な説明】
【技術分野】
【０００１】
この発明は、各種排水設備の配管の途中や管端に配置される排水用トラップに関するものである。
より具体的には、各種排水設備からの排水を下方に流通させる縦型の排水用トラップに関するもので、配管技術、さらには建造物の構築技術に属するものである。
【背景技術】
【０００２】
従来、排水管には出口側からの悪臭や害虫などの侵入を抑制する目的でＳ字トラップが設けられている。
しかしながら、このＳ字トラップにおいては、これが排水管の折曲部分に溜った排水の封鎖作用を利用するものであるため、折曲部分に常に一定量の排水が残留する上、固形物などが詰まり易いなどの問題があった。さらに、排水の頻度が低い場合には、トラップ内の排水が蒸発し、封鎖作用が得られなくなるという問題もあった。
【０００３】
そこで、このような問題を解決する具体的な方法として、Ｓ字トラップに代わり、揺動弁体にバランスウエイトを設け、排水が無い時はバランスウエイトによって揺動弁体を閉鎖し、排水時には該排水の重量或いは流水圧で弁体を開く排水用トラップ（弁トラップ）を設ける方法が知られている。
【０００４】
例えば、実公昭６３−２３４８９号公報（特許文献１）においては、大きなスペースがなくても排水管に接続でき、しかも、生ごみなどが詰まるおそれがなく安心して使用でき、悪臭の上昇を確実に防ぐことができることは勿論、虫やねずみの侵入も完全に阻止できる排水用トラップが提案されている。
【０００５】
この排水用トラップは、排水の流出口となる側の管口を傾斜させると共に、その傾斜面と鈍角をなす側の管壁に、該管口を傾斜面に沿って割円状に塞ぐ突出片を設け、この突出片に、該管口の外側へ向けて一対の支腕を設け、この両支腕に軸を架け渡し、一方、弁主体部と錘保持部とを側面形状がくの字形をなすように屈折した弁の、錘保持部に錘を固定し、この錘保持部を水平方向に位置して前記軸に該弁を揺動自在に取付け、錘によって弁主体部が突出片と一直線上に連なるようにして管口を塞ぐ方向に付勢したものである。
【０００６】
さらに、特開２００４−１９７４５３号公報（特許文献２）においては、キャップを回動してケーシングの螺合部から外し、該キャップを上方に持ち上げることで、弁トラップユニットを取り出すことができ、メンテナンスや清掃を容易且つ確実に行うことができる排水用トラップが提案されている。
【０００７】
この排水用トラップは、上流側排水管の下端部に接続可能な管状体をなし該管状体の下端部に径方向外方に張出したフランジ部を形成したスリーブと、前記フランジ部と略同径の筒状体をなし下端部に下流側排水管の上端部に接続可能な管状部を有すると共に筒状体部の上端側外周面に螺合部を形成したケーシングと、短管状体の傾斜した管口に開閉可能な揺動弁体を設け且つ該揺動弁体を閉鎖方向に付勢するバランスウエイトを設けると共に上端部には径方向外方に張出し前記スリーブのフランジ部と略同径のフランジ部を形成した弁トラップユニットと、スリーブ管状体部を挿通可能な開口部を上端蓋部中央に有しその外周下側に連なる短円筒部にスリーブフランジ部及び弁トラップユニットフランジ部を収容可能であると共に該短円筒部下端内周面にケーシングの螺合部に対応する螺合部を形成したキャップとで構成されるものである。
【０００８】
さらにまた、特開２０１０−２７５７６３号公報（特許文献３）においては、清掃、メンテナンス作業を簡素化することができる排水用トラップが提案されている。
【０００９】
この排水用トラップは、底面が平坦なトラップ主体の相対する部位に、それぞれ排水管を接続するための接続部を有するとともに、上部に開口部を有し、かつ前記開口部をキャップ部材によって開閉自在とした横置き型のもので、前記排水用トラップを構成するトラップ主体内に、バランスウエイトを有する弁体を横方向に開閉させるための取付座を水平に配置するとともに、前記弁体と常時当接し、かつ排水用の流通孔を有する弁座を、下流方向に向かって、前記取付座の一端部から底面部まで傾斜させて設け、排水流入部と排水流出部とに区画し、前記取付座に着脱自在に装着される取付台に、前記弁体を揺動自在に保持し、前記弁体を保持した取付台を、前記キャップ部材の取外しによって、前記取付座から取外し可能に構成したものである。
【先行技術文献】
【特許文献】
【００１０】
【特許文献１】実公昭６３−２３４８９号公報（実用新案登録請求の範囲，図２）
【特許文献２】特開２００４−１９７４５３号公報（特許請求の範囲，図１）
【特許文献３】特開２０１０−２７５７６３号公報（特許請求の範囲，図１）
【発明の概要】
【発明が解決しようとする課題】
【００１１】
前記特許文献１に開示されている排水用トラップでは、残留排水が少なく、シンプルであるため、殆どメンテナンスを必要としないが、使用状況によっては、弁体と管口との接触部分に沿って付着残留した水垢などによって弁体が管口に密着し、開閉性が悪化するおそれがあり、そのような場合には、排水管からトラップを外して清掃などを行う必要がある、という問題があった。
【００１２】
前記特許文献２に開示されている排水用トラップは、ケーシング上端縁に弁トラップユニットフランジ部を接合して弁トラップユニットをケーシング内に収容し、更に、弁トラップユニットフランジ部にスリーブフランジ部を重ね、スリーブ管状体部を上端開口部に挿通したキャップでスリーブフランジ部及び弁トラップユニットフランジ部を包覆した状態で、キャップの螺合部をケーシングの螺合部に螺合し、キャップ上端蓋部とケーシング上端縁の間にスリーブフランジ部と弁トラップユニットフランジ部とが挟持されるようにしてそれらを一体とした構成であるので、弁トラップユニットを取り出す際には、キャップを回動してケーシングの螺合部から外し、該キャップを上方に持ち上げる必要がある。
したがって、メンテナンスや清掃を行うに際し、さらに簡単に着脱できる点において、さらなる改善が求められている。
【００１３】
前記特許文献３に開示されている排水用トラップは、横置きを目的としたもので、縦型の排水用トラップとは構成を異にするものである。仮に、これを縦置きのものとして用いた場合には、排水が行われたときに、弁体が上方から勢いよく排水を直接受けると、その衝撃によって弁体が脱落するおそれがあるものである。
【００１４】
かかる現状に鑑み、この発明は、出願人が開発している、横置き型の排水用トラップに用いている、排水用トラップを構成する、バランスウエイト有する揺動自在な弁体を、トラップ主体内に着脱自在に配置可能とした構造を縦型の排水用トラップに適用するとともに、縦型の排水用トラップとしての構造について鋭意検討した。
【００１５】
その結果、排水用トラップを構成する、バランスウエイト有する揺動自在な弁体を、トラップ主体内に着脱自在に配置かつ強固に固定可能として、清掃を容易にするとともに、排水の際に排出される水の衝撃による弁体の脱落を防止した縦型の排水用トラップを見出し、この発明を完成させた。
【課題を解決するための手段】
【００１６】
前記目的を達成するため、この発明にかかる請求項１に記載の発明は、
筒状のトラップ主体の相対する部位に、それぞれ排水管を接続するための接続部を有するとともに、前記トラップ主体の側面に貫通形成された平面視円形の側方開口部を有し、かつ前記側方開口部をキャップ部材によって開閉自在とした縦型の排水用トラップにおいて、
前記排水用トラップを構成するトラップ主体内に、バランスウエイトを有する弁体を縦方向に開閉させるための取付座を軸方向に対して平行となるように配置するとともに、
前記弁体と常時当接し、かつ排水用の流通孔を有する弁座を、下流方向に向かって、前記取付座の一端部から前記トラップ主体の側面部まで傾斜させて設け、排水流入部と排水流出部とに区画し、
前記取付座に着脱自在に装着される取付台に、前記弁体を揺動自在に保持し、
前記弁体を保持した取付台を、その上部側に形成された係合溝および下部側に形成された係合部のそれぞれと、前記取付座に突設された支持体との係脱によって、前記取付座から着脱可能に構成したこと
を特徴とする排水用トラップである。
【００１７】
この発明の請求項２に記載の発明は、
請求項１に記載の排水用トラップにおいて、
前記係合溝と係合する支持体は、
その先端が前記側方開口部近傍に達するように構成されていること
を特徴とするものである。
【００１８】
この発明の請求項３に記載の発明は、
請求項１又は２に記載の排水用トラップにおいて、
前記取付台は、
その左右端部に、幅方向に平行に突出形成された一対のアーム部と、各アーム部の先端縁から下方に延出して両アーム部を相互に連結する半円環状の連結部材を備え、
前記連結部材は、
その外周部が前記側方開口部近傍の内壁に当接するよう構成され、その下端縁から上方に向かって所定の長さ延出形成された平面視半円形状の遮蔽板を備えること
を特徴とするものである。
【００１９】
この発明の請求項４に記載の発明は、
請求項１〜３のいずれかに記載の排水用トラップにおいて、
前記弁体は、
側面視へ字形に屈折した板状体で構成され、下部は舌片状で、最上部には、弁体を常時閉鎖方向に付勢するバランスウエイトを有し、屈折部には、揺動のための支軸を保持する筒状の保持部を有し、前記取付台に支軸を介して揺動自在に設けられること
を特徴とするものである。
【００２０】
この発明の請求項５に記載の発明は、
請求項１〜４のいずれかに記載の排水用トラップにおいて、
前記取付座は、
前記トラップ主体の流入側の上部から下流方向に延出させた連結板の先端部に、流出側に向けて軸方向に対して平行となるよう取付板を延出させ、かつ前記取付板の先端部からトラップ主体の側壁に達する、排水を流通させるための流通孔を有する弁座を、下流方向に向かって傾斜させて設けたものであり、
前記支持体は、
前記取付板の外面部に突設され、前記取付台の上部側に所要の間隔を存して形成された係合溝と係合する一対の上部支持体と、前記取付台の下部側に所要の間隔を存して形成された係合部と係合する一対の下部支持体で構成されること
を特徴とするものである。
【００２１】
この発明の請求項６に記載の発明は、
請求項５に記載の排水用トラップにおいて、
前記取付板の外面部には、さらに前記取付台の位置合わせと固定用の複数の突条体が設けられていること
を特徴とするものである。
【００２２】
この発明の請求項７に記載の発明は、
請求項５又は６に記載の排水用トラップにおいて、
前記取付台は、
平面視台形状のプレートで構成され、その上部側の両端部に、前記取付座の外面に配置された一対の上部支持体とそれぞれ係合する係合溝が設けられるとともに、底部側の両端部に、前記取付座の外面に配置された一対の下部支持体とそれぞれ係合する係合部が設けられ、前記係合部に面して、前記弁体を揺動自在に保持するための支軸の、両端部を係合保持する断面略Ｌ字状の軸受け部が形成されているとともに、前記弁体の過剰揺動を抑止するため板状体が外面部に一体的に立設されていること
を特徴とするものである。
【００２３】
この発明の請求項８に記載の発明は、
請求項７に記載の排水用トラップにおいて、
前記板状体は、
前記開口部を閉止するキャップ部材の裏面に当接する高さを有すること
を特徴とするものである。
【発明の効果】
【００２４】
この発明の排水用トラップは、筒状のトラップ主体の相対する部位に、それぞれ排水管を接続するための接続部を有するとともに、前記トラップ主体の側面に貫通形成された平面視円形の側方開口部を有し、かつ前記側方開口部をキャップ部材によって開閉自在とした縦型のものであって、前記排水用トラップを構成するトラップ主体内に、バランスウエイトを有する弁体を縦方向に開閉させるための取付座を軸方向に対して平行となるように配置するとともに、前記弁体と常時当接し、かつ排水用の流通孔を有する弁座を、下流方向に向かって、前記取付座の一端部から前記トラップ主体の側面部まで傾斜させて設け、排水流入部と排水流出部とに区画し、前記取付座に着脱自在に装着される取付台に、前記弁体を揺動自在に保持し、前記弁体を保持した取付台を、その上部側に形成された係合溝および下部側に形成された係合部のそれぞれと、前記取付座に突設された支持体との係脱によって、前記取付座から着脱可能に構成したものである。
したがって、前記取付座に対して、前記取付台を強固に固定することができるので、前記排水用トラップは、排出される水の衝撃による弁体の脱落を確実に防止することができる利点を有している。
さらに、前記排水用トラップは、弁部材や弁体の着脱が容易であるので、その清掃、メンテナンス作業が容易なものである。
【００２５】
さらに、前記排水用トラップにおいて、前記係合部と係合する支持体を、その先端が前記側方開口部近傍に達するように構成することができる。
このような構成によって、前記取付座に、前記取付台を、より強固に固定することができるので、前記弁体が押されることによる弁体の脱落を確実に防止することができる。
【００２６】
特に、前記取付座を、前記トラップ主体の流入側の上部から下流方向に延出させた連結板の先端部に、流出側に向けて軸方向に対して平行となるよう取付板を延出させ、かつ前記取付板の先端部からトラップ主体の側壁に達する、排水を流通させるための流通孔を有する弁座を、下流方向に向かって傾斜させて設けたもので構成し、さらに、前記取付板の外面部に、前記取付台の位置合わせと固定用の複数の突条体を設けた場合には、前記取付座に、前記取付台をさらに強固に固定することが可能となる。
【００２７】
さらにまた、前記取付台を、その左右端部に、幅方向に平行に突出形成された一対のアーム部と、各アーム部の先端縁から下方に延出して両アーム部を相互に連結する半円環状の連結部材を備えるように構成し、前記連結部材を、その外周部が前記側方開口部近傍の内壁に当接するよう構成するとともに、その下端縁から上方に向かって所定の長さ延出形成された平面視半円形状の遮蔽板を備えるよう構成することができる。
このような構成によって、排水の流通（落下）によって生ずる水しぶきがトラップ主体の外部に漏れることを防止することができる。
【００２８】
さらにまた、弁部材を装着するための取付座を構成する取付板の上面部に、弁体を揺動自在に保持する取付台を固定する一対の支持体と、前記取付台の位置合わせと、固定用の複数の突条体を設けることによって、弁部材や弁体の着脱が容易になるとともに、複雑な形状部分が開口部の近傍にのみ存在することになるため、排水用トラップの清掃、メンテナンス作業がより簡素化されるのである。
【００２９】
なお、この発明の排水用トラップは、バランスウエイトを有する揺動自在の弁体を用いて、排水流入部と排水流出部を遮断するものであって、従来のように滞留水を利用することなく、下流側からの臭気の伝播、さらには虫や小動物の侵入の抑制に優れたものである。
【００３０】
また、排水のトラップに用いられる滞留水の腐敗による臭気の発生や、滞留水に起因する水垢による配管の汚れなどを考慮する必要が無いので、配管の管理を容易にし、排水用トラップの清掃、メンテナンス作業を簡素化するものである。
【図面の簡単な説明】
【００３１】
【図１】この発明にかかる排水用トラップの一例を示す断面図である。
【図２】図１に示される排水用トラップの平面図である。
【図３】図１に示される排水用トラップにおいて、キャップ部材および弁部材を取外した状態の平面図である。
【図４】図３に示す排水用トラップのＡ−Ａ’断面図である。
【図５】この発明の排水用トラップにおける弁部材の正面図である。
【図６】前記弁部材を構成する取付台の正面側斜視図である。
【図７】前記弁部材を構成する取付台の背面側斜視図である。
【図８】前記弁部材を構成する取付台の平面図である。
【図９】図６の正面図である。
【図１０】図６の左側面図である。
【図１１】弁体を搖動自在に保持するための支軸を軸支する軸受けの一例を示す説明図である。
【発明を実施するための形態】
【００３２】
以下、この発明にかかる排水用トラップについて、添付の図面に基づいて具体的に説明する。
なお、この発明は開示された実施例にのみ限定されるものではなく、その要旨を変更しない範囲内において種々改良することができるものである。
【００３３】
図１は、この発明にかかる排水用トラップの一例を示す断面図である。
この発明にかかる排水用トラップ１は、図１に示すように、筒状のトラップ主体２と、前記トラップ主体２の側面に貫通形成された平面視円形の側方開口部３に着脱自在に装着されるキャップ部材４と、前記トラップ主体２内に着脱自在に装着される弁部材５とから構成されている。
【００３４】
なお、この実施例において、前記排水用トラップ１は、合成樹脂で構成されているが、これを構成する材料については特段の制限はなく、金属材料などの他の材料で構成してもよい。
例えば、前記排水用トラップ１を、配管の汚れの監視や、排水用トラップの清掃、メンテナンス作業をより簡素化することが可能となるよう、透明な合成樹脂素材で構成してもよい。
【００３５】
前記トラップ主体２は、図１に示すように、その上部開口側には、排水を流入させるため排水管の接続部２ａが、下部開口側には、排水を流出させるための配水管の接続部２ｂが、それぞれ上下方向に延出させて形成されたものである。
【００３６】
前記トラップ主体２の内部には、図１に示すように、前記弁部材５を装着するための取付座６が配置されている。
【００３７】
前記取付座６は、図１、図３及び図４に示すように、前記側方開口部３の開口縁上部から中心側に向かって下り傾斜して延出する連結板６ａと、この連結板６ａの先端縁から、中心部に向かって軸方向に対して平行となるように延出する取付板６ｂと、この取付板６ｂの先端縁から、後述する弁部材５の弁体５１と常時当接する弁座６ｃが、トラップ主体２の側面に達するように、前記接続部２ｂ側に向かって傾斜させて設けられている。
なお、この実施例において、前記連結板６ａは、トラップ主体２の中心軸近傍まで延出するよう構成されているが、その長さについては特段の制限はなく、弁体の大きさなどに応じて適宜選択すればよい。
【００３８】
前記連結板６ａ、取付板６ｂおよび弁座６ｃは、前記接続部２ａから流入する排水が、直接接続部２ｂ側に流出しないようトラップ主体２内に設けられるもので、この取付座６によって、前記トラップ主体２内が、接続部２ａ側の排水流入部Ｘと、接続部２ｂ側の排水流出部Ｙとに区画されている。
【００３９】
前記トラップ主体２内に傾斜配置される弁座６ｃには、各種排水設備から排出される排水を流出させるためのＵ字状の流通孔６ｄが形成され、この流通孔６ｄを常時閉止する弁部材５の弁体５１が開いた場合のみ、排水が排水流入部Ｘから排水流出部Ｙに流出するよう構成されている。
【００４０】
前記トラップ主体２の取付板６ｂは、図３及び図４に示すように、その外面（開口部３側の面）の上部側の両端部に、所要の間隔を存して径方向外側に向かって、軸方向に対して垂直に突出形成された支持体（上部支持体）６ｇ，６ｇを備えるとともに、下部側の両端部に、所要の間隔を存して径方向外側に向かって、軸方向に対して垂直に突出形成された支持体（下部支持体）６ｅ，６ｅを備える。
【００４１】
前記トラップ主体２の側面の所定の位置には、図１に示すように、平面視円形の側方開口部３が貫通形成されるとともに、その開口縁に沿って側方に起立する筒状部７が一体的に形成され、この筒状部７の開口部に、前記筒状部７の外径とほぼ等しい内径を有するキャップ部材４が着脱自在に装着されている。
【００４２】
なお、この実施例において、前記キャップ部材４の上面には、図２に示すように、キャップ部材４を回動させるための把手４ａが付設されている。
【００４３】
また、図１においては、前記筒状部７とキャップ部材４との係合は、気密性の観点から、前記筒状部７の外周面に、周方向に沿って複数のネジ溝を形成することによって、複数のネジ山からなる雄ネジ（図示せず）を形成する一方、前記キャップ部材４の内周面に、前記雄ネジと逆ネジ構造の雌ネジ（図示せず）を形成することによって行われている。
なお、前記係合手段としては、いわゆるバヨネット方式などの公知の係合手段を採用することもできる。
【００４４】
前記トラップ主体２内に着脱自在に装着される弁部材５は、図１に示すように、側面視が「へ」の字状に屈曲した金属製の弁体５１と、この弁体５１を前記トラップ主体２の取付座６に装着するための取付台８とから構成されるものである。
【００４５】
前記弁体５１は、その下部は、図５に示されるように舌片状で、最上部５１ａには、弁体５１を常時閉鎖方向に付勢するバランスウエイトＢＷが設けられ、屈折部５１ｂには、揺動のための支軸５２を挿通する軸受け（保持部）（図示せず）を有しているものである。
【００４６】
前記弁部材５を構成する取付台８は、図６〜１０で明らかなように、所要の厚さを有する平面視台形状のプレート８１で構成されるもので、その底部側の両端部には、図６〜９に示すように、前記支持体６ｅ，６ｅと係合する係合部８２，８２が形成されるよう、軸受け部８３，８３が設けられている。
この軸受け部８３，８３は、前記係合部８２，８２に面して、断面が略Ｌ字状に形成されたもので、後述するように前記支持体６ｅ，６ｅと組み合わされることによって、前記弁体５１を搖動自在に保持するための支軸５２を軸支する軸受けを構成するものである。
【００４７】
一方、図６〜９に示すように、前記取付台８の上部側の両端部にも、前記上部支持体６ｇ，６ｇと係合するよう前記上部支持体６ｇ，６ｇの各形状に合わせて所要の深さ切り欠いて形成された係合溝８６，８６が設けられている。
【００４８】
したがって、この発明においては、取付板６ｂの支持体６ｅ，６ｅと取付台８の係合部８２，８２との係合に加えて、取付板６ｂの上部支持体６ｇ，６ｇと取付台８の係合溝８６，８６との係合によって、前記取付板６ｂに前記取付台８を取り付ける構成としているので、前記トラップ主体２内部の取付座６に前記弁部材５を強固に固定することができる。
その結果、この発明においては、排水時における水の衝撃によって、弁体が脱落することが確実に防止される。
【００４９】
なお、前記上部支持体６ｇ，６ｇについては、その先端が側方開口部３近傍に達するように構成されていることが好ましい。
このような構成によって、前記取付板６ｂに前記取付台８をより強固に固定することができるので、弁体５１が押されることによる弁体の脱落が確実に防止される。
【００５０】
また、前記取付台８を構成するプレート８１の背面部の中央には、前記キャップ部材４の内底面と当接してプレート８１が上方に持ち上がり、弁体５１が過剰に揺動するのを抑止するとともに、弁部材５を着脱するための摘みとなる板状体８４が一体的に設けられている。
【００５１】
さらに、前記プレート８１の底面側の中央には、前記取付板６ｂの先端部上面に設けられた突条体６ｆと当接し、取付台８が前方（排出口側）に移動することを防止するとともに、位置決めするためのストッパ８５が一体的に設けられている。
なお、図６等において、符号８５１は、取付板６ｂの支持体６ｅの上面と当接するようプレート８１の底面側の両端に突出形成した保持部材で、前記取付板６ｂに前記取付台８を、さらに強固に、かつ安定して固定するためのものである。
【００５２】
さらにまた、前記プレート８１は、図１、図６、図７および図１０に示すように、その背面の左右端部に幅方向（図１において外方）に平行に突出形成された一対のアーム部８７，８７と、各アーム部８７，８７の先端縁から下方に垂直に延出して両アーム部８７，８７を相互に連結する平面視半円環状の連結部材８８を備える。
【００５３】
前記連結部材８８は、その外周部が前記側方開口部３近傍の内壁に沿った半円環状とされて前記側方開口部３の内面に当接するよう構成されている。
さらに、前記連結部材８８には、前記筒状部７の内壁に当接するよう、背面側の端縁から径方向外側に向かって直角に延出したフランジ部８９が形成されるとともに、その下端縁から、側方開口部３の下部側の所定の範囲を覆うよう上方に向かって、さらに所定の長さ延出した平面視半円形状の遮蔽板８９ａが一体的に形成されている。
したがって、排水の落下によって生ずる水しぶきがトラップ主体の外部に漏れることが防止される。
【００５４】
前記遮蔽板８９ａの大きさについては、前記バランスウエイトＢＷが、その揺動の際に前記遮蔽板８９ａに当たらない範囲であれば良い。
なお、この実施例において、前記遮蔽板８９ａは、前記側方開口部３の、下端から５分の２〜３分の１程度の範囲を覆うように形成されている。
【００５５】
前記連結部材８８には、図６および図９等に示すように、背面側の端縁から径方向内側に向かって直角に延出形成したフランジ部をさらに設けるようにしてもよい。
【００５６】
図３において、符号６ｈは、前記取付台８をトラップ主体２の取付板６ｃに装着する際の、位置合わせ用の指標となるとともに、位置ズレを防止するための突条体であって、連結板６ａ上に配置されている。
【００５７】
かかる構成部材からなる排水用トラップ１は、まず、弁体５１に支軸５２を装着させたのち、両端の突出部を、前記取付台８の両端部に形成した軸受け部８３，８３（具体的には、その背面側の突出部）にそれぞれ係合させて、弁体５１を取付台８に対して揺動自在に保持させて、弁部材５を構成する。
【００５８】
ついで、トラップ主体２の側方開口部３から、取付台８の板状体８４の先端部を摘みながら、弁部材５を、弁体５１が接続部２ｂ側に位置する状態で挿入し、トラップ主体２内に軸方向に対して平行となるように配置された取付板６ｂに突設された支持体６ｅ，６ｅを、取付台８の下部の両端部に設けた係合部８２，８２に、上部支持体６ｇ，６ｇを、取付台８の上部の両端部に設けた係合溝８６，８６にそれぞれ挿入させて、取付台８を取付座６上に強固に固定する。
【００５９】
その際、取付台８は、トラップ主体２の突条体６ｆと、取付台８のストッパ８５との係合、さらには、取付台８の上縁部と前記突条体６ｈ，６ｈとの係合によって、安定した状態で、前記取付座６上に固定保持される。
【００６０】
さらに、トラップ主体２の取付板６ｂの支持体６ｅ，６ｅは、図４に示すように、その先端部が下方を切り欠いて断面略逆Ｌ字状になるよう形成されているので、図１１に示すように、取付台８の軸受け部８３，８３との係合によって、軸受けを形成し、この軸受けによって、前記支軸５２は、軸支される。
【００６１】
同時に、前記弁体５１は、その裏面が、トラップ主体２の取付板６ｂの先端部に傾斜させて連設された弁座６ｃの周縁部と当接し、この弁座６ｃに設けた流通孔６ｄを常時閉止するものである。
【００６２】
かくしてトラップ主体２内に、弁部材５を揺動自在に装着したのち、前記側方開口部３をキャップ部材４で閉止したのち、配管経路の途中に、排水用トラップ１を配置するものである。
その際、前記板状体８４の頂部は、キャップ部材４の裏面と当接し、取付台８の上方への移動が阻止され、安定して取付板６ｂ上に固定される。
さらに、前記連結部材８８の下縁部は、前記側方開口部３の近傍の内壁に当接し、側方開口部３の下部は、所定の範囲において前記遮蔽板８９ａで覆われる。
【００６３】
配管経路の途中に配置された排水用トラップ１は、図１で明らかなように、排水がない場合、あるいは、弁体５１を揺動させるに必要な排水量がない場合には、弁体５１は、バランスウエイトＢＷの作用によって常に弁座６ｃと当接し、その流通孔６ｄを閉止しているので、排水は接続部２ｂ側には流れない。
【００６４】
各種排水設備からの排水が、トラップ主体２の排水流入部Ｘに所定量溜り、その水圧あるいは流圧で弁体５１が排水流出部Ｙ側に押圧されると、弁体５１は支軸５２を支点として、図１の鎖線で示すように上方に揺動して、前記流通孔６ｄが開口する。
この流通孔６ｄが開口すると、排水流入部Ｘに流入した、あるいは溜まった排水は、流通孔６ｄを介して排水流出部Ｙ側に流れ、弁体５１に対する水圧が解消されると、弁体５１は、付設したバランスウエイトＢＷの作用によって、再び弁座６ｃと密着して、排水が、排水流出部Ｙから排水流入部Ｘに逆流するのを阻止する。
【００６５】
また、使用途中において、排水用トラップ１内に塵埃や異物等が溜ったり詰まったりした場合には、キャップ部材４を取外し、前記手順と逆の操作を行うことによって、内部を容易に清掃することができ、かつ部品の取替えもきわめて容易に実施することができるものである。
【００６６】
かかる構成の縦型の排水用トラップは、Ｓ字トラップとは異なり、トラップ自体を小型化することができ、かつ構造を簡素化できるもので、メンテナンスや清掃が容易なものである。
【産業上の利用可能性】
【００６７】
この発明にかかる排水用トラップは、各種排水設備から排出される水（排水）を、下方に排出する配管経路や管末に装着して使用することができるもので、排出される水の衝撃によって弁体が脱落することなく使用することが可能であり、配管を取り外すことなくメンテナンスや清掃が可能である。
したがって、業務用または家庭用の排水設備の排水を必要とする部位に使用することが可能であるため、広い産業分野で利用される可能性を有するものである。
【符号の説明】
【００６８】
１              排水用トラップ
２              トラップ主体
２ａ            排水流入側の接続部
２ｂ            排水流出側の接続部
３              側方開口部
４              キャップ部材
４ａ            把手
５              弁部材
５１            弁体
５１ａ          最上部
５１ｂ          屈折部
５２            支軸
ＢＷ            バランスウエイト
６              取付座
６ａ            連結板
６ｂ            取付板
６ｃ            弁座
６ｄ            流通孔
６ｅ            支持体
６ｆ            突条体
６ｇ            上部支持体
６ｈ            突条体
７              筒状部
８              取付台
８１            プレート
８２            係合部
８３            軸受け部
８４            板状体
８５            ストッパ
８５１          保持部材
８６            係合溝
８７            アーム部
８８            連結部材
８９            フランジ部
８９ａ          遮蔽板
Ｘ              排水流入部
Ｙ              排水流出部
【図１】
2020060002.tif 000003
【図２】
2020060002.tif 000004
【図３】
2020060002.tif 000005
【図４】
2020060002.tif 000006
【図５】
2020060002.tif 000007
【図６】
2020060002.tif 000008
【図７】
2020060002.tif 000009
【図８】
2020060002.tif 000010
【図９】
2020060002.tif 000011
【図１０】
2020060002.tif 000012
【図１１】
2020060002.tif 000013
【手続補正書】
【提出日】令和2年2月13日(2020.2.13)
【手続補正１】
【補正対象書類名】特許請求の範囲
【補正対象項目名】全文
【補正方法】変更
【補正の内容】
【特許請求の範囲】
【請求項１】
筒状のトラップ主体の相対する部位に、それぞれ排水管を接続するための接続部を有するとともに、前記トラップ主体の側面に貫通形成された平面視円形の側方開口部を有し、かつ前記側方開口部をキャップ部材によって開閉自在とした縦型の排水用トラップにおいて、
前記排水用トラップを構成するトラップ主体内に、バランスウエイトを有する弁体を縦方向に開閉させるための取付座を軸方向に対して平行となるように配置するとともに、
前記弁体と常時当接し、かつ排水用の流通孔を有する弁座を、下流方向に向かって、前記取付座の一端部から前記トラップ主体の側面部まで傾斜させて設け、排水流入部と排水流出部とに区画し、
前記取付座に着脱自在に装着される取付台に、前記弁体を揺動自在に保持し、
前記弁体を保持した取付台を、その上部側に形成された係合溝および下部側に形成された係合部のそれぞれと、前記取付座に突設された支持体との係脱によって、前記取付座から着脱可能に構成し、
前記係合溝と係合する支持体を、その先端が前記側方開口部近傍に達するように構成したこと
を特徴とする排水用トラップ。
【請求項２】
前記取付台は、
その左右端部に、幅方向に平行に突出形成された一対のアーム部と、各アーム部の先端縁から下方に延出して両アーム部を相互に連結する半円環状の連結部材を備え、
前記連結部材は、
その外周部が前記側方開口部近傍の内壁に当接するよう構成され、その下端縁から上方に向かって所定の長さ延出形成された平面視半円形状の遮蔽板を備えること
を特徴とする請求項１に記載の排水用トラップ。
【請求項３】
前記弁体は、
側面視へ字形に屈折した板状体で構成され、下部は舌片状で、最上部には、弁体を常時閉鎖方向に付勢するバランスウエイトを有し、屈折部には、揺動のための支軸を保持する筒状の保持部を有し、前記取付台に支軸を介して揺動自在に設けられること
を特徴とする請求項１又は２に記載の排水用トラップ。
【請求項４】
前記取付座は、
前記トラップ主体の流入側の上部から下流方向に延出させた連結板の先端部に、流出側に向けて軸方向に対して平行となるよう取付板を延出させ、かつ前記取付板の先端部からトラップ主体の側壁に達する、排水を流通させるための流通孔を有する弁座を、下流方向に向かって傾斜させて設けたものであり、
前記支持体は、
前記取付板の外面部に突設され、前記取付台の上部側に所要の間隔を存して形成された係合溝と係合する一対の上部支持体と、前記取付台の下部側に所要の間隔を存して形成された係合部と係合する一対の下部支持体で構成されること
を特徴とする請求項１〜３のいずれかに記載の排水用トラップ。
【請求項５】
前記取付板の外面部には、さらに前記取付台の位置合わせと固定用の複数の突条体が設けられていること
を特徴とする請求項４に記載の排水用トラップ。
【請求項６】
前記取付台は、
平面視台形状のプレートで構成され、その上部側の両端部に、前記取付座の外面に配置された一対の上部支持体とそれぞれ係合する係合溝が設けられるとともに、底部側の両端部に、前記取付座の外面に配置された一対の下部支持体とそれぞれ係合する係合部が設けられ、前記係合部に面して、前記弁体を揺動自在に保持するための支軸の、両端部を係合保持する断面Ｌ字状の軸受け部が形成されているとともに、前記弁体の過剰揺動を抑止するため板状体が外面部に一体的に立設されていること
を特徴とする請求項４又は５に記載の排水用トラップ。
【請求項７】
前記板状体は、
前記開口部を閉止するキャップ部材の裏面に当接する高さを有すること
を特徴とする請求項６に記載の排水用トラップ。
【手続補正２】
【補正対象書類名】明細書
【補正対象項目名】全文
【補正方法】変更
【補正の内容】
【発明の詳細な説明】
【技術分野】
【０００１】
この発明は、各種排水設備の配管の途中や管端に配置される排水用トラップに関するものである。
より具体的には、各種排水設備からの排水を下方に流通させる縦型の排水用トラップに関するもので、配管技術、さらには建造物の構築技術に属するものである。
【背景技術】
【０００２】
従来、排水管には出口側からの悪臭や害虫などの侵入を抑制する目的でＳ字トラップが設けられている。
しかしながら、このＳ字トラップにおいては、これが排水管の折曲部分に溜った排水の封鎖作用を利用するものであるため、折曲部分に常に一定量の排水が残留する上、固形物などが詰まり易いなどの問題があった。さらに、排水の頻度が低い場合には、トラップ内の排水が蒸発し、封鎖作用が得られなくなるという問題もあった。
【０００３】
そこで、このような問題を解決する具体的な方法として、Ｓ字トラップに代わり、揺動弁体にバランスウエイトを設け、排水が無い時はバランスウエイトによって揺動弁体を閉鎖し、排水時には該排水の重量或いは流水圧で弁体を開く排水用トラップ（弁トラップ）を設ける方法が知られている。
【０００４】
例えば、実公昭６３−２３４８９号公報（特許文献１）においては、大きなスペースがなくても排水管に接続でき、しかも、生ごみなどが詰まるおそれがなく安心して使用でき、悪臭の上昇を確実に防ぐことができることは勿論、虫やねずみの侵入も完全に阻止できる排水用トラップが提案されている。
【０００５】
この排水用トラップは、排水の流出口となる側の管口を傾斜させると共に、その傾斜面と鈍角をなす側の管壁に、該管口を傾斜面に沿って割円状に塞ぐ突出片を設け、この突出片に、該管口の外側へ向けて一対の支腕を設け、この両支腕に軸を架け渡し、一方、弁主体部と錘保持部とを側面形状がくの字形をなすように屈折した弁の、錘保持部に錘を固定し、この錘保持部を水平方向に位置して前記軸に該弁を揺動自在に取付け、錘によって弁主体部が突出片と一直線上に連なるようにして管口を塞ぐ方向に付勢したものである。
【０００６】
さらに、特開２００４−１９７４５３号公報（特許文献２）においては、キャップを回動してケーシングの螺合部から外し、該キャップを上方に持ち上げることで、弁トラップユニットを取り出すことができ、メンテナンスや清掃を容易且つ確実に行うことができる排水用トラップが提案されている。
【０００７】
この排水用トラップは、上流側排水管の下端部に接続可能な管状体をなし該管状体の下端部に径方向外方に張出したフランジ部を形成したスリーブと、前記フランジ部と略同径の筒状体をなし下端部に下流側排水管の上端部に接続可能な管状部を有すると共に筒状体部の上端側外周面に螺合部を形成したケーシングと、短管状体の傾斜した管口に開閉可能な揺動弁体を設け且つ該揺動弁体を閉鎖方向に付勢するバランスウエイトを設けると共に上端部には径方向外方に張出し前記スリーブのフランジ部と略同径のフランジ部を形成した弁トラップユニットと、スリーブ管状体部を挿通可能な開口部を上端蓋部中央に有しその外周下側に連なる短円筒部にスリーブフランジ部及び弁トラップユニットフランジ部を収容可能であると共に該短円筒部下端内周面にケーシングの螺合部に対応する螺合部を形成したキャップとで構成されるものである。
【０００８】
さらにまた、特開２０１０−２７５７６３号公報（特許文献３）においては、清掃、メンテナンス作業を簡素化することができる排水用トラップが提案されている。
【０００９】
この排水用トラップは、底面が平坦なトラップ主体の相対する部位に、それぞれ排水管を接続するための接続部を有するとともに、上部に開口部を有し、かつ前記開口部をキャップ部材によって開閉自在とした横置き型のもので、前記排水用トラップを構成するトラップ主体内に、バランスウエイトを有する弁体を横方向に開閉させるための取付座を水平に配置するとともに、前記弁体と常時当接し、かつ排水用の流通孔を有する弁座を、下流方向に向かって、前記取付座の一端部から底面部まで傾斜させて設け、排水流入部と排水流出部とに区画し、前記取付座に着脱自在に装着される取付台に、前記弁体を揺動自在に保持し、前記弁体を保持した取付台を、前記キャップ部材の取外しによって、前記取付座から取外し可能に構成したものである。
【先行技術文献】
【特許文献】
【００１０】
【特許文献１】実公昭６３−２３４８９号公報（実用新案登録請求の範囲，図２）
【特許文献２】特開２００４−１９７４５３号公報（特許請求の範囲，図１）
【特許文献３】特開２０１０−２７５７６３号公報（特許請求の範囲，図１）
【発明の概要】
【発明が解決しようとする課題】
【００１１】
前記特許文献１に開示されている排水用トラップでは、残留排水が少なく、シンプルであるため、殆どメンテナンスを必要としないが、使用状況によっては、弁体と管口との接触部分に沿って付着残留した水垢などによって弁体が管口に密着し、開閉性が悪化するおそれがあり、そのような場合には、排水管からトラップを外して清掃などを行う必要がある、という問題があった。
【００１２】
前記特許文献２に開示されている排水用トラップは、ケーシング上端縁に弁トラップユニットフランジ部を接合して弁トラップユニットをケーシング内に収容し、更に、弁トラップユニットフランジ部にスリーブフランジ部を重ね、スリーブ管状体部を上端開口部に挿通したキャップでスリーブフランジ部及び弁トラップユニットフランジ部を包覆した状態で、キャップの螺合部をケーシングの螺合部に螺合し、キャップ上端蓋部とケーシング上端縁の間にスリーブフランジ部と弁トラップユニットフランジ部とが挟持されるようにしてそれらを一体とした構成であるので、弁トラップユニットを取り出す際には、キャップを回動してケーシングの螺合部から外し、該キャップを上方に持ち上げる必要がある。
したがって、メンテナンスや清掃を行うに際し、さらに簡単に着脱できる点において、さらなる改善が求められている。
【００１３】
前記特許文献３に開示されている排水用トラップは、横置きを目的としたもので、縦型の排水用トラップとは構成を異にするものである。仮に、これを縦置きのものとして用いた場合には、排水が行われたときに、弁体が上方から勢いよく排水を直接受けると、その衝撃によって弁体が脱落するおそれがあるものである。
【００１４】
かかる現状に鑑み、この発明は、出願人が開発している、横置き型の排水用トラップに用いている、排水用トラップを構成する、バランスウエイト有する揺動自在な弁体を、トラップ主体内に着脱自在に配置可能とした構造を縦型の排水用トラップに適用するとともに、縦型の排水用トラップとしての構造について鋭意検討した。
【００１５】
その結果、排水用トラップを構成する、バランスウエイト有する揺動自在な弁体を、トラップ主体内に着脱自在に配置かつ強固に固定可能として、清掃を容易にするとともに、排水の際に排出される水の衝撃による弁体の脱落を防止した縦型の排水用トラップを見出し、この発明を完成させた。
【課題を解決するための手段】
【００１６】
前記目的を達成するため、この発明にかかる請求項１に記載の発明は、
筒状のトラップ主体の相対する部位に、それぞれ排水管を接続するための接続部を有するとともに、前記トラップ主体の側面に貫通形成された平面視円形の側方開口部を有し、かつ前記側方開口部をキャップ部材によって開閉自在とした縦型の排水用トラップにおいて、
前記排水用トラップを構成するトラップ主体内に、バランスウエイトを有する弁体を縦方向に開閉させるための取付座を軸方向に対して平行となるように配置するとともに、
前記弁体と常時当接し、かつ排水用の流通孔を有する弁座を、下流方向に向かって、前記取付座の一端部から前記トラップ主体の側面部まで傾斜させて設け、排水流入部と排水流出部とに区画し、
前記取付座に着脱自在に装着される取付台に、前記弁体を揺動自在に保持し、
前記弁体を保持した取付台を、その上部側に形成された係合溝および下部側に形成された係合部のそれぞれと、前記取付座に突設された支持体との係脱によって、前記取付座から着脱可能に構成し、
前記係合溝と係合する支持体を、その先端が前記側方開口部近傍に達するように構成したこと
を特徴とする排水用トラップである。
【００１７】
この発明の請求項２に記載の発明は、
請求項１に記載の排水用トラップにおいて、
前記取付台は、
その左右端部に、幅方向に平行に突出形成された一対のアーム部と、各アーム部の先端縁から下方に延出して両アーム部を相互に連結する半円環状の連結部材を備え、
前記連結部材は、
その外周部が前記側方開口部近傍の内壁に当接するよう構成され、その下端縁から上方に向かって所定の長さ延出形成された平面視半円形状の遮蔽板を備えること
を特徴とするものである。
【００１８】
この発明の請求項３に記載の発明は、
請求項１又は２に記載の排水用トラップにおいて、
前記弁体は、
側面視へ字形に屈折した板状体で構成され、下部は舌片状で、最上部には、弁体を常時閉鎖方向に付勢するバランスウエイトを有し、屈折部には、揺動のための支軸を保持する筒状の保持部を有し、前記取付台に支軸を介して揺動自在に設けられること
を特徴とするものである。
【００１９】
この発明の請求項４に記載の発明は、
請求項１〜３のいずれかに記載の排水用トラップにおいて、
前記取付座は、
前記トラップ主体の流入側の上部から下流方向に延出させた連結板の先端部に、流出側に向けて軸方向に対して平行となるよう取付板を延出させ、かつ前記取付板の先端部からトラップ主体の側壁に達する、排水を流通させるための流通孔を有する弁座を、下流方向に向かって傾斜させて設けたものであり、
前記支持体は、
前記取付板の外面部に突設され、前記取付台の上部側に所要の間隔を存して形成された係合溝と係合する一対の上部支持体と、前記取付台の下部側に所要の間隔を存して形成された係合部と係合する一対の下部支持体で構成されること
を特徴とするものである。
【００２０】
この発明の請求項５に記載の発明は、
請求項４に記載の排水用トラップにおいて、
前記取付板の外面部には、さらに前記取付台の位置合わせと固定用の複数の突条体が設けられていること
を特徴とするものである。
【００２１】
この発明の請求項６に記載の発明は、
請求項４又は５に記載の排水用トラップにおいて、
前記取付台は、
平面視台形状のプレートで構成され、その上部側の両端部に、前記取付座の外面に配置された一対の上部支持体とそれぞれ係合する係合溝が設けられるとともに、底部側の両端部に、前記取付座の外面に配置された一対の下部支持体とそれぞれ係合する係合部が設けられ、前記係合部に面して、前記弁体を揺動自在に保持するための支軸の、両端部を係合保持する断面略Ｌ字状の軸受け部が形成されているとともに、前記弁体の過剰揺動を抑止するため板状体が外面部に一体的に立設されていること
を特徴とするものである。
【００２２】
この発明の請求項７に記載の発明は、
請求項６に記載の排水用トラップにおいて、
前記板状体は、
前記開口部を閉止するキャップ部材の裏面に当接する高さを有すること
を特徴とするものである。
【発明の効果】
【００２３】
この発明の排水用トラップは、筒状のトラップ主体の相対する部位に、それぞれ排水管を接続するための接続部を有するとともに、前記トラップ主体の側面に貫通形成された平面視円形の側方開口部を有し、かつ前記側方開口部をキャップ部材によって開閉自在とした縦型のものであって、前記排水用トラップを構成するトラップ主体内に、バランスウエイトを有する弁体を縦方向に開閉させるための取付座を軸方向に対して平行となるように配置するとともに、前記弁体と常時当接し、かつ排水用の流通孔を有する弁座を、下流方向に向かって、前記取付座の一端部から前記トラップ主体の側面部まで傾斜させて設け、排水流入部と排水流出部とに区画し、前記取付座に着脱自在に装着される取付台に、前記弁体を揺動自在に保持し、前記弁体を保持した取付台を、その上部側に形成された係合溝および下部側に形成された係合部のそれぞれと、前記取付座に突設された支持体との係脱によって、前記取付座から着脱可能に構成したものである。
したがって、前記取付座に対して、前記取付台を強固に固定することができるので、前記排水用トラップは、排出される水の衝撃による弁体の脱落を確実に防止することができる利点を有している。
さらに、前記排水用トラップは、弁部材や弁体の着脱が容易であるので、その清掃、メンテナンス作業が容易なものである。
【００２４】
なお、前記排水用トラップにおいて、前記係合溝と係合する支持体は、その先端が前記側方開口部近傍に達するように構成される。
このような構成によって、前記取付座に、前記取付台を、より強固に固定することができるので、前記弁体が押されることによる弁体の脱落を確実に防止することができる。
【００２５】
特に、前記取付座を、前記トラップ主体の流入側の上部から下流方向に延出させた連結板の先端部に、流出側に向けて軸方向に対して平行となるよう取付板を延出させ、かつ前記取付板の先端部からトラップ主体の側壁に達する、排水を流通させるための流通孔を有する弁座を、下流方向に向かって傾斜させて設けたもので構成し、さらに、前記取付板の外面部に、前記取付台の位置合わせと固定用の複数の突条体を設けた場合には、前記取付座に、前記取付台をさらに強固に固定することが可能となる。
【００２６】
さらにまた、前記取付台を、その左右端部に、幅方向に平行に突出形成された一対のアーム部と、各アーム部の先端縁から下方に延出して両アーム部を相互に連結する半円環状の連結部材を備えるように構成し、前記連結部材を、その外周部が前記側方開口部近傍の内壁に当接するよう構成するとともに、その下端縁から上方に向かって所定の長さ延出形成された平面視半円形状の遮蔽板を備えるよう構成することができる。
このような構成によって、排水の流通（落下）によって生ずる水しぶきがトラップ主体の外部に漏れることを防止することができる。
【００２７】
さらにまた、弁部材を装着するための取付座を構成する取付板の上面部に、弁体を揺動自在に保持する取付台を固定する一対の支持体と、前記取付台の位置合わせと、固定用の複数の突条体を設けることによって、弁部材や弁体の着脱が容易になるとともに、複雑な形状部分が開口部の近傍にのみ存在することになるため、排水用トラップの清掃、メンテナンス作業がより簡素化されるのである。
【００２８】
なお、この発明の排水用トラップは、バランスウエイトを有する揺動自在の弁体を用いて、排水流入部と排水流出部を遮断するものであって、従来のように滞留水を利用することなく、下流側からの臭気の伝播、さらには虫や小動物の侵入の抑制に優れたものである。
【００２９】
また、排水のトラップに用いられる滞留水の腐敗による臭気の発生や、滞留水に起因する水垢による配管の汚れなどを考慮する必要が無いので、配管の管理を容易にし、排水用トラップの清掃、メンテナンス作業を簡素化するものである。
【図面の簡単な説明】
【００３０】
【図１】この発明にかかる排水用トラップの一例を示す断面図である。
【図２】図１に示される排水用トラップの平面図である。
【図３】図１に示される排水用トラップにおいて、キャップ部材および弁部材を取外    した状態の平面図である。
【図４】図３に示す排水用トラップのＡ−Ａ’断面図である。
【図５】この発明の排水用トラップにおける弁部材の正面図である。
【図６】前記弁部材を構成する取付台の正面側斜視図である。
【図７】前記弁部材を構成する取付台の背面側斜視図である。
【図８】前記弁部材を構成する取付台の平面図である。
【図９】図６の正面図である。
【図１０】図６の左側面図である。
【図１１】弁体を搖動自在に保持するための支軸を軸支する軸受けの一例を示す説明    図である。
【発明を実施するための形態】
【００３１】
以下、この発明にかかる排水用トラップについて、添付の図面に基づいて具体的に説明する。
なお、この発明は開示された実施例にのみ限定されるものではなく、その要旨を変更しない範囲内において種々改良することができるものである。
【００３２】
図１は、この発明にかかる排水用トラップの一例を示す断面図である。
この発明にかかる排水用トラップ１は、図１に示すように、筒状のトラップ主体２と、前記トラップ主体２の側面に貫通形成された平面視円形の側方開口部３に着脱自在に装着されるキャップ部材４と、前記トラップ主体２内に着脱自在に装着される弁部材５とから構成されている。
【００３３】
なお、この実施例において、前記排水用トラップ１は、合成樹脂で構成されているが、これを構成する材料については特段の制限はなく、金属材料などの他の材料で構成してもよい。
例えば、前記排水用トラップ１を、配管の汚れの監視や、排水用トラップの清掃、メンテナンス作業をより簡素化することが可能となるよう、透明な合成樹脂素材で構成してもよい。
【００３４】
前記トラップ主体２は、図１に示すように、その上部開口側には、排水を流入させるため排水管の接続部２ａが、下部開口側には、排水を流出させるための配水管の接続部２ｂが、それぞれ上下方向に延出させて形成されたものである。
【００３５】
前記トラップ主体２の内部には、図１に示すように、前記弁部材５を装着するための取付座６が配置されている。
【００３６】
前記取付座６は、図１、図３及び図４に示すように、前記側方開口部３の開口縁上部から中心側に向かって下り傾斜して延出する連結板６ａと、この連結板６ａの先端縁から、中心部に向かって軸方向に対して平行となるように延出する取付板６ｂと、この取付板６ｂの先端縁から、後述する弁部材５の弁体５１と常時当接する弁座６ｃが、トラップ主体２の側面に達するように、前記接続部２ｂ側に向かって傾斜させて設けられている。
なお、この実施例において、前記連結板６ａは、トラップ主体２の中心軸近傍まで延出するよう構成されているが、その長さについては特段の制限はなく、弁体の大きさなどに応じて適宜選択すればよい。
【００３７】
前記連結板６ａ、取付板６ｂおよび弁座６ｃは、前記接続部２ａから流入する排水が、直接接続部２ｂ側に流出しないようトラップ主体２内に設けられるもので、この取付座６によって、前記トラップ主体２内が、接続部２ａ側の排水流入部Ｘと、接続部２ｂ側の排水流出部Ｙとに区画されている。
【００３８】
前記トラップ主体２内に傾斜配置される弁座６ｃには、各種排水設備から排出される排水を流出させるためのＵ字状の流通孔６ｄが形成され、この流通孔６ｄを常時閉止する弁部材５の弁体５１が開いた場合のみ、排水が排水流入部Ｘから排水流出部Ｙに流出するよう構成されている。
【００３９】
前記トラップ主体２の取付板６ｂは、図３及び図４に示すように、その外面（開口部３側の面）の上部側の両端部に、所要の間隔を存して径方向外側に向かって、軸方向に対して垂直に突出形成された支持体（上部支持体）６ｇ，６ｇを備えるとともに、下部側の両端部に、所要の間隔を存して径方向外側に向かって、軸方向に対して垂直に突出形成された支持体（下部支持体）６ｅ，６ｅを備える。
【００４０】
前記トラップ主体２の側面の所定の位置には、図１に示すように、平面視円形の側方開口部３が貫通形成されるとともに、その開口縁に沿って側方に起立する筒状部７が一体的に形成され、この筒状部７の開口部に、前記筒状部７の外径とほぼ等しい内径を有するキャップ部材４が着脱自在に装着されている。
【００４１】
なお、この実施例において、前記キャップ部材４の上面には、図２に示すように、キャップ部材４を回動させるための把手４ａが付設されている。
【００４２】
また、図１においては、前記筒状部７とキャップ部材４との係合は、気密性の観点から、前記筒状部７の外周面に、周方向に沿って複数のネジ溝を形成することによって、複数のネジ山からなる雄ネジ（図示せず）を形成する一方、前記キャップ部材４の内周面に、前記雄ネジと逆ネジ構造の雌ネジ（図示せず）を形成することによって行われている。
なお、前記係合手段としては、いわゆるバヨネット方式などの公知の係合手段を採用することもできる。
【００４３】
前記トラップ主体２内に着脱自在に装着される弁部材５は、図１に示すように、側面視が「へ」の字状に屈曲した金属製の弁体５１と、この弁体５１を前記トラップ主体２の取付座６に装着するための取付台８とから構成されるものである。
【００４４】
前記弁体５１は、その下部は、図５に示されるように舌片状で、最上部５１ａには、弁体５１を常時閉鎖方向に付勢するバランスウエイトＢＷが設けられ、屈折部５１ｂには、揺動のための支軸５２を挿通する軸受け（保持部）（図示せず）を有しているものである。
【００４５】
前記弁部材５を構成する取付台８は、図６〜１０で明らかなように、所要の厚さを有する平面視台形状のプレート８１で構成されるもので、その底部側の両端部には、図６〜９に示すように、前記支持体６ｅ，６ｅと係合する係合部８２，８２が形成されるよう、軸受け部８３，８３が設けられている。
この軸受け部８３，８３は、前記係合部８２，８２に面して、断面が略Ｌ字状に形成されたもので、後述するように前記支持体６ｅ，６ｅと組み合わされることによって、前記弁体５１を搖動自在に保持するための支軸５２を軸支する軸受けを構成するものである。
【００４６】
一方、図６〜９に示すように、前記取付台８の上部側の両端部にも、前記上部支持体６ｇ，６ｇと係合するよう前記上部支持体６ｇ，６ｇの各形状に合わせて所要の深さ切り欠いて形成された係合溝８６，８６が設けられている。
【００４７】
したがって、この発明においては、取付板６ｂの支持体６ｅ，６ｅと取付台８の係合部８２，８２との係合に加えて、取付板６ｂの上部支持体６ｇ，６ｇと取付台８の係合溝８６，８６との係合によって、前記取付板６ｂに前記取付台８を取り付ける構成としているので、前記トラップ主体２内部の取付座６に前記弁部材５を強固に固定することができる。
その結果、この発明においては、排水時における水の衝撃によって、弁体が脱落することが確実に防止される。
【００４８】
なお、前記上部支持体６ｇ，６ｇについては、その先端が側方開口部３近傍に達するように構成されていることが好ましい。
このような構成によって、前記取付板６ｂに前記取付台８をより強固に固定することができるので、弁体５１が押されることによる弁体の脱落が確実に防止される。
【００４９】
また、前記取付台８を構成するプレート８１の背面部の中央には、前記キャップ部材４の内底面と当接してプレート８１が上方に持ち上がり、弁体５１が過剰に揺動するのを抑止するとともに、弁部材５を着脱するための摘みとなる板状体８４が一体的に設けられている。
【００５０】
さらに、前記プレート８１の底面側の中央には、前記取付板６ｂの先端部上面に設けられた突条体６ｆと当接し、取付台８が前方（排出口側）に移動することを防止するとともに、位置決めするためのストッパ８５が一体的に設けられている。
なお、図６等において、符号８５１は、取付板６ｂの支持体６ｅの上面と当接するようプレート８１の底面側の両端に突出形成した保持部材で、前記取付板６ｂに前記取付台８を、さらに強固に、かつ安定して固定するためのものである。
【００５１】
さらにまた、前記プレート８１は、図１、図６、図７および図１０に示すように、その背面の左右端部に幅方向（図１において外方）に平行に突出形成された一対のアーム部８７，８７と、各アーム部８７，８７の先端縁から下方に垂直に延出して両アーム部８７，８７を相互に連結する平面視半円環状の連結部材８８を備える。
【００５２】
前記連結部材８８は、その外周部が前記側方開口部３近傍の内壁に沿った半円環状とされて前記側方開口部３の内面に当接するよう構成されている。
さらに、前記連結部材８８には、前記筒状部７の内壁に当接するよう、背面側の端縁から径方向外側に向かって直角に延出したフランジ部８９が形成されるとともに、その下端縁から、側方開口部３の下部側の所定の範囲を覆うよう上方に向かって、さらに所定の長さ延出した平面視半円形状の遮蔽板８９ａが一体的に形成されている。
したがって、排水の落下によって生ずる水しぶきがトラップ主体の外部に漏れることが防止される。
【００５３】
前記遮蔽板８９ａの大きさについては、前記バランスウエイトＢＷが、その揺動の際に前記遮蔽板８９ａに当たらない範囲であれば良い。
なお、この実施例において、前記遮蔽板８９ａは、前記側方開口部３の、下端から５分の２〜３分の１程度の範囲を覆うように形成されている。
【００５４】
前記連結部材８８には、図６および図９等に示すように、背面側の端縁から径方向内側に向かって直角に延出形成したフランジ部をさらに設けるようにしてもよい。
【００５５】
図３において、符号６ｈは、前記取付台８をトラップ主体２の取付板６ｃに装着する際の、位置合わせ用の指標となるとともに、位置ズレを防止するための突条体であって、連結板６ａ上に配置されている。
【００５６】
かかる構成部材からなる排水用トラップ１は、まず、弁体５１に支軸５２を装着させたのち、両端の突出部を、前記取付台８の両端部に形成した軸受け部８３，８３（具体的には、その背面側の突出部）にそれぞれ係合させて、弁体５１を取付台８に対して揺動自在に保持させて、弁部材５を構成する。
【００５７】
ついで、トラップ主体２の側方開口部３から、取付台８の板状体８４の先端部を摘みながら、弁部材５を、弁体５１が接続部２ｂ側に位置する状態で挿入し、トラップ主体２内に軸方向に対して平行となるように配置された取付板６ｂに突設された支持体６ｅ，６ｅを、取付台８の下部の両端部に設けた係合部８２，８２に、上部支持体６ｇ，６ｇを、取付台８の上部の両端部に設けた係合溝８６，８６にそれぞれ挿入させて、取付台８を取付座６上に強固に固定する。
【００５８】
その際、取付台８は、トラップ主体２の突条体６ｆと、取付台８のストッパ８５との係合、さらには、取付台８の上縁部と前記突条体６ｈ，６ｈとの係合によって、安定した状態で、前記取付座６上に固定保持される。
【００５９】
さらに、トラップ主体２の取付板６ｂの支持体６ｅ，６ｅは、図４に示すように、その先端部が下方を切り欠いて断面略逆Ｌ字状になるよう形成されているので、図１１に示すように、取付台８の軸受け部８３，８３との係合によって、軸受けを形成し、この軸受けによって、前記支軸５２は、軸支される。
【００６０】
同時に、前記弁体５１は、その裏面が、トラップ主体２の取付板６ｂの先端部に傾斜させて連設された弁座６ｃの周縁部と当接し、この弁座６ｃに設けた流通孔６ｄを常時閉止するものである。
【００６１】
かくしてトラップ主体２内に、弁部材５を揺動自在に装着したのち、前記側方開口部３をキャップ部材４で閉止したのち、配管経路の途中に、排水用トラップ１を配置するものである。
その際、前記板状体８４の頂部は、キャップ部材４の裏面と当接し、取付台８の上方への移動が阻止され、安定して取付板６ｂ上に固定される。
さらに、前記連結部材８８の下縁部は、前記側方開口部３の近傍の内壁に当接し、側方開口部３の下部は、所定の範囲において前記遮蔽板８９ａで覆われる。
【００６２】
配管経路の途中に配置された排水用トラップ１は、図１で明らかなように、排水がない場合、あるいは、弁体５１を揺動させるに必要な排水量がない場合には、弁体５１は、バランスウエイトＢＷの作用によって常に弁座６ｃと当接し、その流通孔６ｄを閉止しているので、排水は接続部２ｂ側には流れない。
【００６３】
各種排水設備からの排水が、トラップ主体２の排水流入部Ｘに所定量溜り、その水圧あるいは流圧で弁体５１が排水流出部Ｙ側に押圧されると、弁体５１は支軸５２を支点として、図１の鎖線で示すように上方に揺動して、前記流通孔６ｄが開口する。
この流通孔６ｄが開口すると、排水流入部Ｘに流入した、あるいは溜まった排水は、流通孔６ｄを介して排水流出部Ｙ側に流れ、弁体５１に対する水圧が解消されると、弁体５１は、付設したバランスウエイトＢＷの作用によって、再び弁座６ｃと密着して、排水が、排水流出部Ｙから排水流入部Ｘに逆流するのを阻止する。
【００６４】
また、使用途中において、排水用トラップ１内に塵埃や異物等が溜ったり詰まったりした場合には、キャップ部材４を取外し、前記手順と逆の操作を行うことによって、内部を容易に清掃することができ、かつ部品の取替えもきわめて容易に実施することができるものである。
【００６５】
かかる構成の縦型の排水用トラップは、Ｓ字トラップとは異なり、トラップ自体を小型化することができ、かつ構造を簡素化できるもので、メンテナンスや清掃が容易なものである。
【産業上の利用可能性】
【００６６】
この発明にかかる排水用トラップは、各種排水設備から排出される水（排水）を、下方に排出する配管経路や管末に装着して使用することができるもので、排出される水の衝撃によって弁体が脱落することなく使用することが可能であり、配管を取り外すことなくメンテナンスや清掃が可能である。
したがって、業務用または家庭用の排水設備の排水を必要とする部位に使用することが可能であるため、広い産業分野で利用される可能性を有するものである。
【符号の説明】
【００６７】
１              排水用トラップ
２              トラップ主体
２ａ            排水流入側の接続部
２ｂ            排水流出側の接続部
３              側方開口部
４              キャップ部材
４ａ            把手
５              弁部材
５１            弁体
５１ａ          最上部
５１ｂ          屈折部
５２            支軸
ＢＷ            バランスウエイト
６              取付座
６ａ            連結板
６ｂ            取付板
６ｃ            弁座
６ｄ            流通孔
６ｅ            支持体
６ｆ            突条体
６ｇ            上部支持体
６ｈ            突条体
７              筒状部
８              取付台
８１            プレート
８２            係合部
８３            軸受け部
８４            板状体
８５            ストッパ
８５１          保持部材
８６            係合溝
８７            アーム部
８８            連結部材
８９            フランジ部
８９ａ          遮蔽板
Ｘ              排水流入部
Ｙ              排水流出部